(57)【要約】      （修正有）【課題】機器に挿入された情報記憶媒体カードの望ましくない抜去や盗難、破壊を防止する。【解決手段】情報記憶媒体カード挿入部２が情報記憶媒体カード５の全体を収容可能とするとともに、情報記憶媒体カード５のプッシュイジェクト動作を阻止する情報記憶媒体カード抜去防止手段４とを備える。情報記憶媒体カード抜去防止手段４は、情報記憶媒体カードがプッシュロックにより所定の位置に格納された後に、さらに情報記憶媒体カード挿入部２の奥まで押し込まれることによりプッシュイジェクトされることを阻止する。【選択図】図３
2014052891.tif 000002
【特許請求の範囲】
【請求項１】
情報記憶媒体カードが挿入される挿入部を持つ機器において、
前記情報記憶媒体カードの全体を前記機器内に収容する挿入部と、
前記挿入部に前記情報記憶媒体カードのプッシュイジェクト動作を阻止ずる情報記憶媒体カード抜去防止手段と
を備えたことを特徴とする情報記憶媒体カードのロック装置。
【請求項２】
請求項１に記載の情報記憶媒体カードのロック装置において、
前記情報記憶媒体カード抜去防止手段は、前記機器の所定の操作により解除されることを特徴とする情報記憶媒体カードのロック装置。
【発明の詳細な説明】
【技術分野】
【０００１】
本発明は情報記憶媒体カードが挿入される挿入部を持つ機器に備えられた情報記憶媒体カードのロック装置に関する。
【背景技術】
【０００２】
従来の情報記憶媒体カードが挿入される挿入部を持つ機器においては、情報記憶媒体カードの挿入や抜去を容易とするため、挿入完了状態では前記情報記憶媒体カードの一端が機器のカード挿入部より突出している構造となっていた。また、情報記憶媒体カードを固定したり固定を解除する方法としては、情報記憶媒体カードを挿入部に挿入した後に突き当たるまで押し込むことにより情報記憶媒体カードはカードソケットにロックされ（プッシュロック）、固定を解除する際には情報記憶媒体カードを挿入部に挿入した後に突き当たるまで押し込むことにより情報記憶媒体カードのロックが解除され、情報記憶媒体カードが押し出されてくる（プッシュイジェクト）構造が一般的に使用されている。
【０００３】
しかしながら、例えば画像や音声をデジタル化し、情報記憶媒体カードに継続して記録するような装置においては、上記構造であった場合、任意の時点での情報記憶媒体カードの抜去が可能であるため、記録機能に支障をきたす事象が発生し得る。また、悪意により情報記憶媒体カードが抜去され持ち去られてしまうという事象も発生し得る。
【０００４】
前記のような事象の発生を防止する技術として、情報記憶媒体カードをロックする装置が特許文献１に開示されている。
【先行技術文献】
【特許文献】
【０００５】
【特許文献１】特開平３−１８０９２３号公報  第４図（ｂ）
【発明の概要】
【発明が解決しようとする課題】
【０００６】
しかしながら、特許文献１に示した技術により情報記憶媒体カードをロックした状況においても、情報記憶媒体カードの一端が機器のカード挿入部より突出している構造であるため、例えば情報記憶媒体カードを破壊し内容が読めない状況でもかまわない場合は、情報記憶媒体カードの一端を強い力で引っ張り、情報記憶媒体カードのロック機構に掛かった部分を破壊して、情報記憶媒体カードを取り出すことが可能であった。
【０００７】
本発明の目的は、前記のような情報記憶媒体カードの破壊を伴うような抜去をも防止することを可能とする情報記憶媒体のロック装置を提供することにある。
【課題を解決するための手段】
【０００８】
本発明は、情報記憶媒体カードが挿入される挿入部を持つ機器において、前記情報記憶媒体カードの全体を前記機器内に収容する挿入部と、前記挿入部に前記情報記憶媒体カードのプッシュイジェクト動作を阻止する情報記憶媒体カード抜去防止手段とを備えたことを特徴とする。
【０００９】
また、前記情報記憶媒体カード抜去防止手段は、前記機器の所定の操作により解除されることを特徴とする。
【００１０】
これらの特徴により、前記情報記憶媒体カードは完全に機器内に格納され、かつ情報記憶媒体カード抜去防止手段により、望ましくない状態における前記情報記憶媒体カードの抜去を防止することが可能となる。
【発明の効果】
【００１１】
本発明によれば、一般に使用される情報記憶媒体カードを使用した場合に置いても、情報記憶媒体カードの盗難や破壊を確実に防止することが可能となる。
【図面の簡単な説明】
【００１２】
【図１】情報記憶媒体カードが挿入される挿入部の構造を示す図である。
【図２】前記挿入部に情報記憶媒体カードを挿入し、プッシュロックを実施中の状況を示す図である。
【図３】記憶媒体カードが挿入される挿入部に記憶媒体カードが挿入され、情報記憶媒体カード抜去防止手段が動作している状況を表す図である。
【図４】記憶媒体カードが挿入される挿入部に記憶媒体カードが挿入され、情報記憶媒体力ード抜去防止手段が解除されている状況を表す図である。
【図５】記憶媒体カヤドを抜去する際の情報記憶媒体カード抜去補助器具の利用方法を表す図である。
【図６】記憶媒体カードが抜去されている記憶媒体カード状況を表す図である。
【発明を実施するための形態】
【００１３】
以下、本発明による情報記憶媒体カードのロック装置の一実施形態を、図１〜図６を使用して説明する。
【００１４】
本実施形態は、情報記憶媒体カードとして、プッシュロック・プッシュイジェクト機能を用いるＳＤカードやＭＭＣカードを使用する場合を想定している。
【００１５】
図１に本発明による特徴を持つ機器に設けられた情報記憶媒体カードが挿入される挿入部の構造を示している。
【００１６】
機器１には情報記憶媒体カード挿入部２が設けてあり、機器の外部に対して開口されている。情報記憶媒体カード挿入部２の内部には、プッシュロック・プッシュイジェクト機能および情報記憶媒体カード５との電気的接点を持つカードソケット３と、情報記憶媒体カード抜去防止手段４とが設けてある。
【００１７】
情報記憶媒体カード抜去防止手段４は、情報記憶媒体カード５がプッシュロックにより所定の位置に格納された後に、さらに情報記憶媒体カード挿入部２の奥まで押しこまれることによりプッシュイジェクトされることを阻止するためのものである。本実施形態では、半月形の回転可能なカムを使用しているが、この形状や構造に限らず、動作時には情報記憶媒体カード５が押し込まれることを防止し、解除時には情報記憶媒体カード５が押し込まれることを可能とする形状や構造であればよく、例えば卵形のカムや、ソレノイドなどによりカードソケット３内に入出するストッパーやピンなどでもよい。
【００１８】
図２は、機器１の情報記憶媒体カード挿入部２に情報記憶媒体カード５を挿入する際の状況を示す図である。
【００１９】
機器１は、情報記憶媒体カード５を挿入・抜去可能な状況においては、情報記憶媒体カード抜去防止手段４を図２に示すような状態、すなわちカードソケット３に対して情報記憶媒体カード５を押し込むことが可能な状況としている。ＳＤカードやＭＭＣカードにおいては、カードソケット３に対して約１mm押し込むことにより情報記憶媒体カード５がロックされる。
【００２０】
図３は、機器１の情報記憶媒体カード挿入部２に情報記憶媒体カード５が挿入されている状況において、機器１が情報記憶媒体カード５の抜去を禁止している状況を示す図である。
【００２１】
この状況においては、情報記憶媒体カード抜去防止手段４を図３に示すような状態、すなわちカードソケット３に対して情報記憶媒体カード５を押し込むことが不可能な状況としているため、情報記憶媒体カード５をカードソケット３に対して押し込んでカードソケット３のプッシュイジェクト動作を行わせることができず、情報記憶媒体カード５を抜去することができない。また、情報記憶媒体カード５の全体が情報記憶媒体カード挿入部２内に収容されているため、情報記憶媒体カード５の上端を手や工具などで挟んで強制的に抜去することもできない。
【００２２】
図４は、機器１の情報記憶媒体カード挿入部２に情報記憶媒体カード５が挿入されている状況において、機器１が情報記憶媒体カード５の抜去を許可している状況を示す図である。
【００２３】
この状況においては、情報記憶媒体カード抜去防止手段４を図４に示すような状態、すなわちカードソケット３に対しで情報記憶媒体カード５を押し込むことが可能な状況としているため、情報記憶媒体カード５をカードソケット３に対して押し込んでカードソケット３のプッシュイジェクト動作を行わせることが可能となり、図５のように情報記憶媒体カード５を図６に示すように抜去することができる。また、この場合には図５に示したように、ＳＤカードやＭＭＣカードとほぼ同じ厚みを持つ硬貨などの情報記憶媒体カード抜去補助器具６を使用して情報記憶媒体カード５をカードソケット３に対して押し込んでも良い。
【００２４】
総じて、本発明による構成とすることにより、機器１に挿入された情報記憶媒体カード５が望ましくない状況において抜去されることを防止可能となるため、情報記憶媒体カード５が盗難されたり破壊されることを防止することが可能となり、機器１のセキュリティ性能や防犯性能を向上することができる。
【００２５】
また、本発明による構造により、特別な構造の情報記憶媒体カードを使用することなく、市販の情報記憶媒体カードを利用して抜去を防止することが可能となる。
【符号の説明】
【００２６】
１  機器
２  情報記憶媒体カード挿入部
３  カードソケット
４  情報記憶媒体カード抜去防止手段
５  情報記憶媒体カード
６  情報記憶媒体カード抜去補助器具
【図１】
2014052891.tif 000003
【図２】
2014052891.tif 000004
【図３】
2014052891.tif 000005
【図４】
2014052891.tif 000006
【図５】
2014052891.tif 000007
【図６】
2014052891.tif 000008